(57)【要約】【課題】世界中で土壌の砂漠化が進行し、その原因として、主として薪炭を目的とする原生林の伐採、無秩序な焼畑農業、酸性雨による土壌の疲弊などが上げられるが、いずれも土壌中に微生物が生存できない状態を作出してしまうものである。微生物が生存できる環境を創出することが課題である。また、従来のバイオマス燃料では、オクタン価が低いこと、燃焼時の発熱量が大きいこと、アルコールによるアルミニウムに対する腐食性が問題とされており、これらを解決するために新たなコストが発生し、ガソリン代替燃料はほとんどない。【解決手段】複合発酵法を用いて、砂漠で農業を行い、作物を収穫し、その作物に対し複合発酵法を用いてアルコール類を製造し、そのアルコール類を複合発酵による酵素触媒加工し、従来のエンジンの車両に適用して走行可能であり、かつ低公害の燃料組成物を提供し、ＣＯ２問題を根本的に解決するものである。【特許請求の範囲】
【請求項１】
複合発酵によって砂漠及び農地で大気中のＣＯ２と水を原料として、大気中のＣＯ２削減を目的として農業を行い、収穫した作物の一部を食糧、あるいは飼料とし、残りの澱粉・糖類等々を複合発酵技術によるアルコール製造の原料とし、余剰物を複合発酵による農業を行う場合に用いる土壌改良の為の複合発酵菌床とし、廃棄物ゼロの農業を行い、製造したアルコールから、製造したアルコールから、エタノール、イソプロピル・エーテル、ターシャリー・ブタノール、ＭＴＢＥ、ＥＴＢＥ等々を製造し、その原材料を複合エステルと複合酵素の高分子タンパク結合結晶を含むバイオ酵素触媒によって加工し、金属（特にアルミニウム）腐食、ゴム・樹脂の劣化・腐食を抑制防止し、現況のガソリン以上の安全性をもつバイオマス燃料を製造し、自動車、発電所等の燃料として販売し、ガソリンとの比較で有毒・有害廃棄物、及びＣＯ２の排出を抑制し、システム全体として大気中のＣＯ２を消費（削減）することを特徴とするビジネス方法。
【請求項２】
請求項１に記載したビジネス方法において、砂漠の気候状況に応じた作物を栽培することにより、食糧・飼料でなく澱粉・糖を製造し、アルコール製造の原料とするように構成したことを特徴とする請求項１記載のビジネス方法。
【発明の詳細な説明】
【０００１】
【発明の属する技術分野】
本発明は、複合微生物体系の複合微生物動態型解析による複合発酵による農業、アルコール製造、及びバイオマス燃料製造販売についてのビジネス方法に関する。
【０００２】
【従来の技術】
従来の技術では、砂漠においては植物を栽培することはできず、作物を作ることは全く不可能であった。すなわち、世界には砂、石、岩、土、塩の各砂漠があり、水分の不足、乾燥、塩分の高濃度化、有機物の不足等の為、微生物が生存できない環境が砂漠なのである。したがって、単に植林するとか、草を植えるなどの行為では一定の期間緑化ができたような様相を呈するが、土壌中の微生物が生存できなければ、結局枯れてしまい、砂漠の緑化はできないのが現状である。
【０００３】
また、従来のアルコール等のバイオマス燃料では、金属腐食性、ゴム・樹脂の劣化・腐食のため、ガソリンエンジンにそのまま使用することができず、燃料としての用途が限られているため、燃焼に伴う排気ガスの有毒性・有害性が抑制される低公害の有益性にもかかわらず、広範に使用されることがなかったのが現状である。
【０００４】
【発明が解決しようとする課題】
現在、世界中で土壌の砂漠化が進行し、従来の砂漠と併せると地球上の陸地の約３８％が砂漠であるといわれている。この原因として主として薪炭を目的とする原生林の伐採、無秩序な焼畑農業、酸性雨による土壌の疲弊などが上げられるが、いずれも結果として土壌中に微生物が生存できない状態を作出してしまうものである。従来からの砂漠であっても、進行する砂漠化による砂漠であっても、土壌中に微生物が生存できる環境を創り出すことが必要な課題である。
【０００５】
また、従来のバイオマス燃料では、オクタン価（ＪＩＳ　Ｋ２８８０のリサーチオクタン価をいう）が低いこと、燃焼時の発熱量が大きいこと、及びアルコールによるアルミニウムに対する腐食性が問題とされており、これらを解決するために新規なエンジン系列を必要とするなど新たなコストが発生するため、ガソリンの代替燃料はほとんどないのが現状であり、本発明は、上記の問題を解決することを目的としている。
【０００６】
【課題を解決するための手段】
上記目的を達成するために、本発明においては、複合発酵法を用いて、砂漠で農業を行い、作物を収穫し、その作物から複合発酵法を用いてアルコールを製造し、製造したアルコールから、エタノール、イソプロピル・エーテル、ターシャリー・ブタノール、ＭＴＢＥ、ＥＴＢＥ等々を製造し、そのアルコール類を複合エステルと複合酵素の高分子タンパク結合結晶を含むバイオ酵素触媒によって加工し、従来のガソリンエンジン車にそのまま使用して走行可能であり、かつ低公害の燃料組成物を提供するものである。
【０００７】
複合発酵法とは、情報微生物工学、情報生命工学、分子生物学より構成された複合微生物体系の複合微生物動態系解析における複合発酵という科学技術をいい、微生物の機能性と基質性と情報性による発酵法、増殖法、誘導法を用い、単発酵、復発酵、並行復発酵、平衡復発酵、固体（固形）発酵を同時に行い、好気性菌類と嫌気性菌類及び通性嫌気性菌類のすべての微生物群の共存、共栄、共生を可能にするものである。
【０００８】
そして、上記のすべての微生物の共存、共栄、共生が起きることによって、フザリウム属の占有率がゼロになり、酸化、変敗、腐敗を断ち切り、生態系内における微生物群の死滅率がゼロになることによって、すべての微生物群を発酵から合成に導き、生菌数を１ミリリットルあたり１０のｎ乗から無限大とし、同時に生菌数が１種類１ミリリットルあたり１０の９乗を超えると、菌のスケールが１０分の１以下となり、凝集化（固形化）を生じ、数千種、数万種の増殖が可能となる。これにより、微生物の高密度化が起こり、微生物のＤＮＡ核内に一酸化窒素、二酸化窒素及び高分子タンパク結晶による情報接合とエネルギー接合を引き起こし、その結果、微生物間でのＤＮＡ融合が生じ、融合微生物による対抗性菌、耐衡性菌により獲得した酵素及びタンパク質の高分子結合結晶が発生し、情報触媒の作用として情報とエネルギーを現生・発現させ、すべての物質、分子、原子レベルに対する分解菌並びに分解酵素を現生させて、環境汚染物質を分解消失し、微生物が自己の生存に適した環境を作出するものである。
【０００９】
複合発酵によって砂漠で空気中のＣＯ２と水を原料として農業を行い、収穫した作物の一部を食糧、あるいは飼料とし、残りの澱粉・糖を複合発酵技術によるアルコール製造の原料とし、余剰物を複合発酵による農業を行う場合に用いる土壌改良の為の複合発酵菌床とし、廃棄物ゼロの農業を行い、製造したアルコールから、エタノール、イソプロピル・エーテル、ターシャリー・ブタノール、ＭＴＢＥ、ＥＴＢＥ等々を製造し、製造したアルコール類を複合エステルと複合酵素の高分子タンパク結合結晶を含むバイオ酵素触媒加工によって抗酸化効果を起こさせ、アルミニウムに対する酸化、変敗、腐食、崩壊を抑制防止することのできるガソリン以上に安全な代替バイオマス燃料とし、ガソリンとの比較で有毒・有害廃棄物、及びＣＯ２の排出を抑制し、システム全体として大気中のＣＯ２を消費することを特徴とするビジネス方法により、砂漠の経済化を実現し、ガソリン代替燃料を恒久的に供給するものである。
【００１０】
上記のビジネス方法において、砂漠の気候状況に応じた作物を栽培することにより、食糧・飼料でなく澱粉・糖を製造し、アルコール製造の原料とするように構成したことを特徴とする上記のビジネス方法により、同様に前述の課題を解決するものである。
【００１１】
【発明の実施の形態】
本発明の実施の形態を詳細に説明する。
砂漠における農業の実施については、ＥＭＢＣ酵素液と、ＥＭＢＣ固形バイオを使用する。
【００１２】
ＥＭＢＣとは、Ｅｆｆｅｃｔｉｖｅ　Ｍｉｃｒｏ−Ｏｒｇａｎｉｓｍｓ　Ｂｒｅｗｉｎｇ　Ｃｙｃｌｅの略であり、有効微生物群活用サイクル法をいう。これは、複合微生物体系の複合微生物動態系解析における複合発酵の誘導法、増殖法、発酵法を用いて、嫌気性菌類、好気性菌類、及び通性嫌気性菌類の共存、共栄、共生をはかり、嫌気性フザリウム（酸化性細菌）と好気性フザリウム（酸化性細菌）を抑制し、すべての微生物の生態系を有益に導く技術であり、それにより複合エステルと複合酵素の高分子タンパク結合結晶を含むバイオ酵素触媒が発現することをＥＭＢＣと称する。
【００１３】
ＥＭＢＣ酵素液は、水９０重量％、松、笹、梅、無花果、栗、桃、柿の葉から抽出した抽出液６重量％、オカラ３重量％、糖蜜１重量％からなる原液に、空気中から微生物を混入させて、１ｃｃあたりの微生物数（生菌数）が、１０７〜１０８から１０９に増加すると菌の死滅がなくなり、それによって、１０２０〜１０３０へと飛躍的に増大し、微生物の高密度化がおき、さらにこの水溶液内で微生物酵素の高濃度化が起き、前記松、笹、無花果、栗、桃、柿の葉に含まれる植物酵素とともに結合結晶化（合成融合）し、誘導体たる抗酸化物質が生成される。この抗酸化物質を含む溶液を濾過してＥＭＢＣ酵素液を得るのである。
【００１４】
ＥＭＢＣ固型バイオは、米糠９０％、水５％、籾殻２．５％、藁２．５％を原料とし、ＥＭＢＣ酵素液を添加し、しばらく寝かせて発酵、発酵合成、合成に導き、乾燥させ、粉砕したものである。
【００１５】
このＥＭＢＣ固型バイオ、及びＥＭＢＣ酵素液を水で５，０００倍から５万倍に希釈した液体を砂漠の土壌の状況と植栽する作物に合わせて土壌に撒き、土壌中に微生物が生存する状態を作り上げることによって、砂漠において農業を行ない、砂漠を経済化し、その結果砂漠を緑化するのである。
【００１６】
この方法で、空気中のＣＯ２と水を原料とし、砂漠において食糧、飼料を製造して第一次的に経済化し、残存するもののうち澱粉、糖を原料にして複合発酵技術によってアルコール等のバイオマスを製造して第二次的に経済化し、さらに複合エステルと複合酵素の高分子タンパク結合結晶を含むバイオ酵素触媒加工によって、通常のガソリンエンジンに対応するバイオマス燃料を造り出すのである。
【００１７】
また、砂漠の土壌、気候の状況によって食糧、飼料よりも澱粉、糖からアルコール等のバイオマスを製造する場合もあり、前記の場合も含めて澱粉、糖以外の残存物はすべて複合発酵技術を用いて堆肥化し、前記ＥＭＢＣ固型バイオと共に土壌改良剤として用い、植栽植物のすべてを利用して廃棄物ゼロの農業を実現するものである。
【００１８】
【発明の効果】
以上のように、本発明によれば、本発明は、複合発酵法を用いて、砂漠において農業を実現し、食糧、飼料を製造し、また、澱粉、糖からアルコール糖のバイオマスを製造し、残存物を堆肥化して土壌改良剤として用い、砂漠を経済化し、結果として砂漠を緑化し、廃棄物ゼロの農業を実現するのである。
【００１９】
また、澱粉、糖を原材料として複合発酵によって、アルコール等のバイオマス燃料を通常の酒精発酵以上に効率良く製造し、複合エステルと複合酵素の高分子タンパク結合結晶を含むバイオ酵素触媒加工を施すことにより、炭素の結合のクラスターを小さくすることで燃料効率とオクタン価を高め、燃焼温度を低くし、抗酸化効果によって抗酸化膜現象を起こし、金属（特にアルミニウム）に対する酸化、変敗、腐食、崩壊を抑制防止し、現在のガソリンエンジンにそのまま使用できる燃料とし、排気ガスのＣＯ２、ＣＯ、ＨＣ、ＳＯｘ、ＮＯｘ等の有毒有害物質の排出を抑制し、低速度におけるトルクを上昇させ、燃費を向上させるのである。